(57)【要約】【課題】  従来から釣りにおいて使用される釣り針は、延縄、ウキ釣り、投げ釣り、探り釣り、サビキ釣り、渓流釣り、ルアー釣りなどどのような釣り方であれ、釣り針のチモト部分にハリスを結びつけることにより緊結されてきたが、ハリスが太すぎて隙間ができて釣り針が抜け落ちたり、結び方が複雑で強固に緊結することが難しかった。また細いハリスを扱うため、周囲が薄暗い時間帯や指先がかじかむ寒冷期には難しい作業である。【解決手段】チモト部２０をヘヤピン状に形成した釣り針１００にハリス６を挟み込むことにより、ハリス６に対する釣り針１００の取り付けを簡単な操作で行ない得るとともに魚の口に刺さりの良い釣り針を提供するものである。【選択図】  図１
2009268461.tif 000002
【特許請求の範囲】
【請求項１】
軸部の下方に湾曲形成した針先と、前記軸部の上側をヘアピン状に折り曲げてその上端にハリスを通す環状部をその中心軸が針先に向くよう形成したチモト部とを有し、
前記環状部の中心が、前記軸部の中心線上に位置することを特徴とする釣り針。
【請求項２】
軸部の下方に湾曲形成した針先と、前記軸部の上側をヘアピン状に折り曲げてその上端にハリスを通す環状部をその中心軸が針先に向くよう形成したチモト部とを有し、
前記環状部の中心と前記針先とを結ぶ直線と、前記中心線とが同じ平面上にあることを特徴とする釣り針。
【請求項３】
軸部の下方に湾曲形成した針先と、前記軸部の上側をヘアピン状に折り曲げてその上端にハリスを通す環状部をその中心軸が針先に向くよう形成したチモト部とを有し、
前記環状部の中心と前記湾曲部分の下方の頂部とを結ぶ直線と、前記中心線とが同じ平面上にあり、
針先には、前記頂部からひねりが与えられていることを特徴とする釣り針。
【請求項４】
前記チモト部の折り曲げた軸の先端に、軸部側に面する軸面からなる呼び込み部を設けたことを特徴とする請求項１〜３のいずれか一つに記載の釣り針。
【請求項５】
更に、前記呼び込み部の手前の軸部に屈曲部を設け又は空間を形成したことを特徴とする請求項４に記載の釣り針。
【請求項６】
前記環状部を根元部分から環形成方向に対して略垂直方向で且つ針先と反対側に折り曲げられていることを特徴とする請求項１〜５のいずれか一つに記載の釣り針。
【発明の詳細な説明】
【技術分野】
【０００１】
本発明は、ハリスへの取り付けが簡単であり、かつ魚の掛かりの良い新しい形状の釣り針に関するものである。
【背景技術】
【０００２】
従来、特許文献１に記載されているような釣り針が知られている。この釣り針本体の末端部が折り曲げられて環状部を形成しており、針先端部が釣り針本体の下に湾曲して形成されている。ハリスは、チモト部に巻き付けた後、切り欠き部から折り曲げ片と本体との間に挟み込み、環状部に挿通される。また、ハリスは叩きの懐側すなわち釣り針の湾曲した内側から出すのが普通である。これを叩きの横や背面より出して結ぶと魚の食い込みが浅い場合等に、ハリスに加わったテンションが針先に伝わりにくく、針掛かりしないことがあるためである。
【先行技術文献】
【特許文献】
【０００３】
【特許文献１】実開昭６２−１４９９６６
【発明の概要】
【発明が解決しようとする課題】
【０００４】
しかしながら、上記従来の釣り針では、釣り針本体の末端部を折り曲げて環状部を形成するため、当該環状部の中心が当該本体の軸の外側に位置するため、ハリスのテンション方向が針先に対して斜めになり、針掛がし難くなるという問題点があった。この発明は、係る問題点を解決するためになされたものである。
【課題を解決するための手段】
【０００５】
この発明の釣り針は、軸部の下方に湾曲形成した針先と、前記軸部の上側をヘアピン状に折り曲げてその上端にハリスを通す環状部をその中心軸が針先に向くよう形成したチモト部とを有し、前記環状部の中心が、前記軸部の中心線上に位置することを特徴とする。
【０００６】
また、この発明の釣り針は、軸部の下方に湾曲形成した針先と、前記軸部の上側をヘアピン状に折り曲げてその上端にハリスを通す環状部をその中心軸が針先に向くよう形成したチモト部とを有し、前記環状部の中心と前記針先とを結ぶ直線と、前記中心線とが同じ平面上にあることを特徴とする
【０００７】
また、この発明の釣り針は、軸部の下方に湾曲形成した針先と、前記軸部の上側をヘアピン状に折り曲げてその上端にハリスを通す環状部をその中心軸が針先に向くよう形成したチモト部とを有し、前記環状部の中心と前記湾曲部分の下方の頂部とを結ぶ直線と、前記中心線とが同じ平面上にあり、針先には、前記頂部からひねりが与えられていることを特徴とする。
【０００８】
また、この発明の釣り針は、上記発明において、前記チモト部の折り曲げた軸の先端に、軸部側に面する軸面からなる呼び込み部を設けたことを特徴とする。
【０００９】
また、この発明の釣り針は、上記発明において、更に、前記呼び込み部の手前の軸部に屈曲部を設け又は空間を形成したことを特徴とする。
【００１０】
また、この発明の釣り針は、上記発明において、前記環状部を根元部分から環形成方向に対して略垂直方向で且つ針先と反対側に折り曲げられていることを特徴とする。
【図面の簡単な説明】
【００１１】
【図１】この発明の実施の形態１に係る釣り針を示す平面図である。
【図２】図１に示した釣り針を示す斜視図である。
【図３】図１に示した釣り針を示す斜視図である。
【図４】軸面の角度を示す説明図である。
【図５】本発明の釣り針のチモト部にハリスを巻き付けて固定した状態を示す説明図である。
【図６】本発明の釣り針の使用状態を示す説明図である。
【図７】本発明の釣り針との比較例を示す説明図である。
【図８】この発明の実施の形態２にかかる釣り針を示す説明図である。
【図９】この発明の実施の形態３に係る釣り針を示す平面図である。
【図１０】この釣り針の使用状態を示す説明図である。
【図１１】この釣り針の使用状態を示す説明図である。
【図１２】この発明の実施の形態４に係る釣り針を示す平面図である。
【発明を実施するための形態】
【００１２】
（実施の形態１）
図１は、この発明の実施の形態１に係る釣り針を示す平面図である。図２及び図３は、図１に示した釣り針を示す斜視図である。この釣り針１００は、軸部４の下方に湾曲形成された針先１２を有し、軸部４の上側をヘアピン状に折り曲げることでハリス６を挿通する環状部１１が設けられ、この環状部１１の中心軸は、針先１２側に向いている。換言すると、環状部１１の環を形成する面が針先１２に正対するようになっている。チモト部２０においてヘアピン状に折り曲げられた軸（折り曲げ部２）は、軸部４との間でハリス６をその弾性力で挟むと共に環状部１１の隙間１に連なる間隙５を形成する。
【００１３】
前記折り曲げ部２は、軸部４と平行になるように折り曲げられており、また、折り曲げ部２の先端は、軸部４側に面する軸面３からなる呼び込み部７が設けられている。軸面３は、ハリス６を前記間隙５に導入し易くする為、前記間隙５に向かって鋭角に傾斜形成されており、かつ前記間隙５に至る軸面３の端部は、ハリス６を傷つけないよう滑らかに丸く加工されている。また、軸面３の前記間隙５に対する角度αは、図４に示すように、ハリス６の挟みこみ易さの観点から、軸部４に対して２０度以上４５度以下とするのが好ましい。
【００１４】
前記間隙５の幅は、折り曲げ部２と軸部４との間にできる平行なものであることから、釣り針１００の大きさや使用するハリス６の太さに応じて決定されるものとする。また、この間隙５の幅は、基本的には一定であるが、ハリス６が挟み込まれる呼び込み部７付近は広く、奥に行くにしたがって狭くなるような形状にしても良い。また、図１に示すように、折り曲げ部２の厚みをハリス６を挟み込む呼び込み部７に向かっていくほど薄くなるようテーパー状に加工することで、餌を釣り針１００本体に装着した場合、餌を大きく傷つけることなく簡単にチモト部２０を隠すまで深く差し込んでいくことができる。なお、このようなテーパー形状とした場合でも、前記間隙５の幅は原則一定とする。
【００１５】
この釣り針１００では、図２に示すように、呼び込み部７付近から前記釣り針の針先１２に至る中心線Ｅ１が、ハリス６の通る中心１５と針先１２の２点を結ぶ直線Ｂと、同じ平面Ｓ１上にあるように成形されている。また、図３に示すように、前記中心線Ｅ１が、隙間１の中心１５と軸部４の湾曲部分４ａの下方の頂部８の２点を結ぶ直線Ｃと、同じ平面Ｓ２上にあるように成形されている。この実施の形態１の釣り針１００では、平面Ｓ１と平面Ｓ２は、同一平面となる。
【００１６】
図５は、本発明の釣り針のチモト部にハリスを巻き付けて固定した状態を示す説明図である。ハリス６は、釣り針１００に取り付ける端を釣り針１００の懐側（湾曲部分４ａの内側）から隙間１に挿通して背側に引き出し、続いて、チモト部２０の環状部１１との根元で且つ折り曲げ部２の反対側から下方に複数回巻き付け、呼び込み部７の軸面３を滑らせながらハリス６を間隙５に導く。最後に、ハリス６の端を前記隙間５の方向に引っ張って前記間隙５に挟み込むことで固定する。ハリス６は、折り曲げ部２の弾性力により間隙５に挟まれて固定される。ここで、環状部１１に注目すると、ハリス６がチモト部２０に巻き付けられ、隙間５を通して上方に伸びており、ハリス６を上方に伸ばしてテンションをかけたときに当該ハリス６の中心１５が軸部４の中心線Ｅ１上に略一致するようになる。よって、ハリス６のテンションは釣り針１００の軸部４にそのまま伝わることになる。
【００１７】
また、ハリス６は、チモト部２０の環状部１１との根元で且つ折り曲げ部２の反対側から巻きつけられるので、ハリス６が当該根元１９の曲げ具合によって、ハリス６が中心１５に位置するような姿勢を保持できる。すなわち、この根元１９の曲げ半径が大きいと、ハリス６にテンションが加わったとき、ハリス６が環状部１１に沿ってずれ、緩みが生じる可能性がある。このため、この根元１９の曲げ半径をハリス６の半径になるべく近いものとすることで、ハリス６が環状部１１に沿ってずれて緩むことを低減できる。かかる観点から、環状部１１は、その根元が折り曲げ部２側よりもその反対側のほうが曲げ半径が小さくなるように成形するのが好ましい。
【００１８】
この発明に係る釣り針１００は、上記のような構造であるため、仕掛けを引き戻したときのテンションは、ハリス６を通じて、ぶれることなく直線的に釣り針１００の軸部４に伝わり、針先１２を軸方向に引く力となる。換言すると、図２及び図３に示すように、前記ハリス６は、軸部４の中心線Ｅ１と、前記直線Bと、前記直線Ｃと同じ平面上にあるから、仕掛けを引き戻したときにハリス６から前記針先１２に向かって働く力の方向と、釣り針１００の軸部４の方向とが一致することになるから、図６に示すように、魚が餌に食いついて釣り人が仕掛けを引き戻した時、ハリス６に加わったテンションは、ハリス６と環状部１１との接触部分１４を支点として釣り針１００に加わり、湾曲した軸部４を経て作用点である針先１２を最短距離で効率的に魚の口に貫通させることができる。
【００１９】
図７は、本発明の釣り針との比較例を示す説明図である。同図に比較例として示す釣り針５００は、ウエットフライ用のテーパード・ループアイ・フック（tapered loop-eye hook）と呼ばれている、フライ用で各種の装飾の羽や蛍光色の糸を巻きつけて使用するものであり、餌釣り用の釣り針とはその形状も大きく異なるものである。この釣り針５００は、ハリスの通る隙間５０１の中心５１５と釣り針５００の針先５１２の2点を結ぶ直線Ｄ１とハリスの呼び込み部付近から釣り針５００の針先５１２に至る軸部５０４の中心線Ｄ２とは同一平面上にないため、この釣り針５００を餌釣りに使用した場合、仕掛けを引き戻した時にハリスから針先５１２に向かって働く力の方向と、針先５１２に至る軸部５０４の方向とが一致しない。このため、ハリスを引き戻す力が真っ直ぐに針先５１２に伝わらず、うまく針掛かりしない。
【００２０】
また、この発明の釣り針１００では、上記構成を採用することで、特別なハリス６の係り止め具を釣り針１００に取り付けることなく簡単かつ強固にハリス６を釣り針１００に取り付けることができる。更に、釣り針１００を交換する場合、間隙５に挟み込まれたハリス６を呼び込み部７の方向に引っ張れば、取り付けたハリス６を容易に解くことができる。すなわち、釣り針１００の交換を手早くできる。また、ハリス６に結び目を作らないので、ハリス６の引張りに対する強さを最大限に生かすことができる。
【００２１】
なお、この釣り針１００は、餌を刺して魚を釣る通常の使い方に最も適しているが、軸部４に擬似餌用の羽根や蛍光色の飾りを取り付けてルアー針、フライフィッシング針、サビキ針にして用いることもできる。特に、釣り針１００を複数本エダスにしたハリス６つきの仕掛けにおいて、数本の釣り針１００を失ったとしても、ハリス６が残っていれば簡単に釣り針の補充が可能である。このため、仕掛けを無駄にせずに済み、経済的であるとともに釣り場環境の保護に寄与する。
【００２２】
なお、釣り針１００の素材は従来から使用されているハイス鋼のようなものでも良いし、高炭素鋼またはチタンのようなものでも良く、材質は別に限定されない。釣り針１００の表面は通常の金属色のままでもよいが、金銀などのメッキや擬似餌用羽根の色に合わせて燐光を発するような塗装、あるいは微細な雲母片を着色塗料とともに塗着してもよい。
【００２３】
また、チモト部２０の軸部４および折り曲げ部２の断面形状は、ハリス６を傷めないような面加工を施してあれば矩形、真円、楕円、多角形などどのような組み合わせの形状でもよい。また、軸部４から針先１２にかけての軸の断面形状は釣り方や釣る対象の魚、あるいは取り付ける擬似餌用の羽根や蛍光色の飾りなどの種類や形状、色彩に合わせて真円、楕円、矩形、多角形などどのような組み合わせの形状でもよい。
【００２４】
（実施の形態２）
図８は、この発明の実施の形態２にかかる釣り針を示す説明図である。この釣り針２００は、実施の形態１にかかる釣り針１００と略同じ形状であるが、呼び込み部７の手前の軸部４に屈曲部９を設け又は空間１０を形成した点が異なる。その他の構成及び作用効果は実施の形態１の釣り針１００と同じであるからその説明を省略する。この釣り針２００は、ハリス６の呼び込み部７の手前付近において、釣り針２００の軸部４に屈曲部９を設け、ハリス６の呼び込みガイドとなる空間１０を形成している。なお、かかる構成においても、図２に示すように、呼び込み部７付近から針先１２に至る中心線Ｅ１と、隙間１の中心１５と針先１２を結ぶ直線Ｂと、が同じ平面Ｓ１上にあるように成形する。また、図３に示すように、呼び込み部７付近から前記釣り針の針先１２に至る中心線Ｅ１が、ハリス６の通る隙間１の中心１５と前記湾曲部分４ａの下方の頂部８の２点を結ぶ直線Ｃと、同じ平面Ｓ２上にあるように成形されている。
【００２５】
空間１０を形成することで、ハリス６を間隙５に挟み込む際に、この空間１０にハリス６を位置させ、そのまま引っ張り上げることで、容易に、当該ハリス６が軸面３により間隙５に導かれ、軸部４と折り曲げ部２との間に挟まれて固定される。なお、屈曲部９を設けず、軸部４の厚さ又は径を小さくすることで、空間１０を形成してもよい（図示省略）。
【００２６】
（実施の形態３）
図９は、この発明の実施の形態３に係る釣り針を示す平面図である。この釣り針３００は、実施の形態１に係る釣り針１００と略同じ構成であるが、環状部１１を根元部分から環形成方向に対して略垂直方向に折り曲げた点に特徴がある。その他の構成及びその作用効果は実施の形態１の釣り針１００と同じであるからその説明を省略する。この釣り針３００では、環状部１１の根元部分を環形成方向に対して略垂直方向（環の中心軸方向）であって且つ釣り針の針先側とは反対側に曲げる。この場合、曲げ角度は、ハリス６を釣り針３００の軸部４と同方向に伸ばしたときにハリス６が環状部１１に触れることのない角度とするのが好ましい。具体的には、釣り針３００の軸方向に対して１５度以上４５度以下が適当である。
【００２７】
この釣り針３００では、ハリス６は前記環状部１１に接触することなく釣り針３００の軸部４の方向とほぼ同一直線状に伸びることになるから、釣り針回収時の巻き戻しや強く投げた釣り針を途中で止めたりした場合等にハリス６に加わるテンションが、前記環状部１１に接触することなくそのまま軸部４に直接伝わる。すなわち、ハリスの軸と釣り針の軸とが略一致し、ハリスのテンションが真直ぐ釣り針に伝わるから、ハリス６のテンションをそのまま針先１２を軸方向に引く力とできる。
【００２８】
図１０は、この釣り針３００の使用状態を示す説明図である。同図に示すように、釣り針３００の懐側と反対側から、軸部４に対して所定の角度をもってハリス６を引っ張ると、環状部１１との接触点１４が支点となってそのテンションが針先１２を引く力となる。環状部１１に曲げ部１３が設けられていない場合、ハリス６が環状部１１に沿ってずれたりするので、針先１２への力のかかり方に変動が生じるが、この釣り針３００のように、環状部１１に曲げ部１３を設ければ、当該角度でハリス６を引っ張っても、自然とハリス６が接触点１４に移動し、そこで安定するため、ハリス６のテンションが効率的に針先１２に伝わる。
【００２９】
図１１は、この釣り針３００の使用状態を示す説明図である。同図に示すように、釣り針３００に対してハリス６が斜めに位置する場合において、ハリス６に強いテンションが加わると、環状部１１が折り曲げられていることから、ハリス６が環状部１１の上を滑って隙間１の中心に移動し、接触点１４に移動してそこで安定する。これにより、仕掛けを引き戻したときのテンションは、軸部４を経て最短距離で前記針先１２に伝わることになる。
【００３０】
（実施の形態４）
図１２は、この発明の実施の形態４に係る釣り針を示す平面図である。この釣り針は、実施の形態２に係る釣り針と略同じ構成であるが、針先を、釣り針の湾曲部分の最頂部８付近から捻りを加えた形状である点が異なる。その他の構成は実施の形態２に係る釣り針２００と同じであるからその説明を省略する。この捻りは、図３でいうところの平面Ｓ２に対して略垂直方向となる。捻りを設けた釣り針４００は、魚の口に針先１２が掛かってその魚が口を閉じた場合に口内での納まりが良く、針掛かりし易い。この釣り針４００においても、中心線Ｅ１と直線Ｃとが同じ平面Ｓ２にあるから、ハリス６のテンションがそのまま軸部４に伝わり、針先１２を引く力となる。
【符号の説明】
【００３１】
１００  釣り針
１  隙間
２  折り曲げ部
４  軸部
５  間隙
６  ハリス
７  呼び込み部
８  頂部
１１  環状部
１２  針先
１５  中心
２０  チモト部
【図１】
2009268461.tif 000003
【図２】
2009268461.tif 000004
【図３】
2009268461.tif 000005
【図４】
2009268461.tif 000006
【図５】
2009268461.tif 000007
【図６】
2009268461.tif 000008
【図７】
2009268461.tif 000009
【図８】
2009268461.tif 000010
【図９】
2009268461.tif 000011
【図１０】
2009268461.tif 000012
【図１１】
2009268461.tif 000013
【図１２】
2009268461.tif 000014